(57)【要約】【課題】  従来の物品搬送装置に比べて製造コスト及び維持コストを大幅に低減することができる物品搬送装置（２）を提供する。【解決手段】  物品搬送装置（２）は、外周縁には周方向に等間隔をおいて複数個の物品受入ポケット（１８）が配設されており、所定方向に回転せしめられる回転ターレット板（１６）と、少なくとも物品受入位置（４）から物品排出位置（６）まで回転ターレット板（１６）の外周縁に沿って且つその半径方向外側を円弧状に延在する静止ガイド（２０）と、少なくとも物品受入位置（４）から物品排出位置（６）まで回転ターレット板（１６）の外周縁部の下方を外周縁部に沿って延在する物品支持表面を有する物品支持手段とを具備する。物品支持手段は静止部材（３０）を含み、物品支持表面を規定する静止部材（３０）の上面（板状片３２の上面）には回転ターレット板（１６）の回転方向に間隔をおいて複数個の吸引孔（４２）が形成されており、吸引孔（４２）には真空吸引手段が接続されている。【選択図】  図４
2020070139.tif 000002
【特許請求の範囲】
【請求項１】
外周縁には周方向に等間隔をおいて複数個の物品受入ポケットが配設されており、所定方向に回転せしめられる回転ターレット板と、少なくとも物品受入位置から物品排出位置まで該回転ターレット板の外周縁に沿って且つその半径方向外側を円弧状に延在する静止ガイドと、少なくとも該物品受入位置から該物品排出位置まで該回転ターレット板の外周縁部の下方を該外周縁部に沿って延在する物品支持表面を有する物品支持手段とを具備する物品搬送装置において、
該物品支持手段は静止部材を含み、該物品支持表面を規定する該静止部材の上面壁には該回転ターレット板の回転方向に間隔をおいて複数個の吸引孔が形成されており、該吸引孔には真空吸引手段が接続されている、ことを特徴とする物品搬送装置。
【請求項２】
該物品支持手段の該静止部材は中空であり、該吸引孔は該静止部材内の空間を介して該真空吸引手段に接続されている、請求項１記載の物品搬送手段。
【請求項３】
隣接する吸引孔間の間隔ｄ１は搬送される物品における該静止部材の該上面壁に接触し且つ該上面壁に形成されている該吸引孔に沿って延びる部位の搬送方向長さｄ２よりも小さく、０．５ｄ２≦ｄ１≦ｄ２である、請求項１又は２記載の物品搬送装置。
【請求項４】
搬送される物品は円形天面壁と該天面壁の周縁から垂下する筒状スカート壁を有する合成樹脂製容器蓋であり、該天面壁の表面を下方に向けた倒立状態で該物品支持表面上に支持される、請求項１から３までのいずれかに記載の物品搬送装置。
【請求項５】
更に、該回転ターレット板に隣接して配置され、外周縁には周方向に等間隔をおいて複数個の物品受入ポケットが配設されており、該所定方向に対して反対方向に回転せしめられる付加回転ターレット板と、少なくとも該物品排出位置に対向する付加物品受入位置から付加物品排出位置まで該付加回転ターレット板の外周縁に沿って且つその半径方向外側を円弧状に延在する付加静止ガイドとを具備し、該静止部材は該物品排出位置に対向する該付加物品受入位置から該付加物品排出位置まで付加回転ターレット板の外周縁部の下方を該外周縁部に沿って延在する付加部を含み、該静止部材の該上面壁は該付加部を含む全領域に渡って連続して延在して面一をなす、請求項１から４までのいずれかに記載の物品搬送装置。
【請求項６】
該静止部材の該付加部の該上面壁にも該付加回転ターレット板の回転方向に間隔をおいて複数個の吸引孔が形成されており、該吸引孔には真空吸引手段が接続されている、請求項５記載の物品搬送装置。
【発明の詳細な説明】
【技術分野】
【０００１】
本発明は、合成樹脂製容器蓋の如き物品を物品受入位置から物品排出位置まで円弧状の搬送経路に沿って搬送するための物品搬送装置に関する。
【背景技術】
【０００２】
下記特許文献１には、圧縮成形機において圧縮成形され、所定排出経路を介して圧縮成形機から搬出される合成樹脂製容器蓋である物品を、物品受入位置から物品排出位置まで円弧状の搬送経路に沿って搬送するための物品搬送装置が開示されている。この物品搬送装置は、外周縁には周方向に等間隔をおいて複数個の物品受入ポケットが形成されており、所定方向に回転せしめられる回転ターレット板と、少なくとも物品受入位置から物品排出位置まで回転ターレット板の外周縁に沿って且つその半径方向外側を円弧状に延在する静止ガイドと、回転ターレット板の下方に配設され回転ターレット板と共に所定方向に回転せしめられる物品支持手段とを具備している。回転ターレット板の外周縁部の下方に位置する、物品支持手段の外周縁部は中空構造であり、その上面壁には周方向に間隔をおいて複数個の吸引孔が配設されている。物品支持手段内の空間には真空吸引手段が接続される。かような物品搬送装置においては、搬送すべき物品が物品受入位置において物品支持手段の上面壁上に支持されると共に回転ターレット板の複数個の物品受入ポケットの１個内に受け入れられる。そして、真空吸引孔を介して物品支持手段の上面壁上に物品が吸引保持され、回転ターレット板及び物品支持手段の回転に応じて排出位置まで搬送される。排出位置においては、回転ターレット板の物品受入ポケット及び物品支持手段の上面上から物品が強制的に排出される。
【先行技術文献】
【特許文献】
【０００３】
【特許文献１】特許第４４４５８７３号公報
【発明の概要】
【発明が解決しようとする課題】
【０００４】
而して、上記特許文献１に開示されている物品搬送装置には、物品支持手段が回転ターレット板を共に回転せしめられる中空構造体から構成されていることに起因して装置の構成が相当複雑になり、装置の製造コストが比較的高価になると共に装置の維持コストも比較的高価になる、という問題がある。この点について更に詳述すると、物品支持手段を構成する中空構造体を回転自在に装着し且つ回転ターレット板と共に回転駆動することが必要であり、これに起因して製造コストが相当増大する。また、回転駆動される中空構造体の空間に真空吸引手段を接続することが必要であり、真空吸引連通路の構成が複雑になって製造コストが増大すると共に、真空吸引連通路における可動部と静止部との間の密封手段が比較的短期間のうちに摩耗されて交換が必要になり、維持コストが増大する。
【０００５】
更に、上記特許文献１に開示されている物品搬送装置には、連続して２台の物品搬送装置を縦列配置する場合、上流側の物品搬送装置における物品支持手段を構成する中空構造体の上面壁と下流側の物品搬送装置における物品支持手段を構成する中空構造体の上面壁との間には必然的にギャップが生成され、これに起因して上流側の物品搬送装置から下流側の物品搬送装置への物品の移送に障害が発生する虞もある。
【０００６】
本発明は、上記事実に鑑みてなされたものであり、その主たる技術的課題は、上記特許文献１に開示されている物品搬送装置に比べて製造コスト及び維持コストを大幅に低減することができる、新規且つ改良された物品搬送装置を提供することである。
【０００７】
本発明の他の技術的課題は、上記主たる技術的課題の達成に加えて、連続して２台の物品搬送装置を縦列配置する場合、上流側の物品搬送装置の物品支持手段から下流側の物品搬送装置の物品支持手段に物品が円滑に移送される、新規且つ改良された物品搬送装置を提供することである。
【課題を解決するための手段】
【０００８】
本発明者等は、鋭意研究及び実験の結果、驚くべきことに、物品支持手段を特定構成の静止部材を含む形態によって、物品の搬送性能を低下せしめることなく上記主たる技術的課題を達成することができることを見出した。
【０００９】
即ち、本発明によれば、上記主たる技術的課題を達成する物品搬送装置として、
外周縁には周方向に等間隔をおいて複数個の物品受入ポケットが配設されており、所定方向に回転せしめられる回転ターレット板と、少なくとも物品受入位置から物品排出位置まで該回転ターレット板の外周縁に沿って且つその半径方向外側を円弧状に延在する静止ガイドと、少なくとも該物品受入位置から該物品排出位置まで該回転ターレット板の外周縁部の下方を該外周縁部に沿って延在する物品支持表面を有する物品支持手段とを具備する物品搬送装置において、
該物品支持手段は静止部材を含み、該物品支持表面を規定する該静止部材の上面壁には該回転ターレット板の回転方向に間隔をおいて複数個の吸引孔が形成されており、該吸引孔には真空吸引手段が接続されている、ことを特徴とする物品搬送装置が提供される。
【００１０】
好ましくは、該物品支持手段の該静止部材は中空であり、該吸引孔は該静止部材内の空間を介して該真空吸引手段に接続されている。隣接する吸引孔間の間隔ｄ１は搬送される物品における該静止部材の該上面壁に接触し且つ該上面壁に形成されている該吸引孔に沿って延びる部位の搬送方向長さｄ２よりも小さく、０．５ｄ２≦ｄ１≦ｄ２であるのが好適である。搬送される物品は円形天面壁と該天面壁の周縁から垂下する筒状スカート壁を有する合成樹脂製容器蓋であり、天面壁の表面を下方に向けた倒立状態で該物品支持表面上に支持されるのが好都合である。
【００１１】
上記他の技術的課題は、下流側の物品搬送装置として、該回転ターレット板に隣接して配置され、外周縁には周方向に等間隔をおいて複数個の物品受入ポケットが配設されており、該所定方向に対して反対方向に回転せしめられる付加回転ターレット板と、少なくとも該物品排出位置に対向する付加物品受入位置から付加物品排出位置まで該付加回転ターレット板の外周縁に沿って且つその半径方向外側を円弧状に延在する付加静止ガイドとを具備する形態を採用し、上流側の物品搬送装置における該静止部材を該物品排出位置に対向する該付加物品受入位置から該付加物品排出位置まで付加回転ターレット板の外周縁部の下方を該外周縁部に沿って延在する付加部を含み、該静止部材の該上面壁は該付加部を含む全領域に渡って連続して延在して面一をなす形態にすることによって達成することができる。該静止部材の該付加部の該上面壁にも該付加回転ターレット板の回転方向に間隔をおいて複数個の吸引孔が形成されており、該吸引孔には真空吸引手段が接続されているのが好ましい。
【発明の効果】
【００１２】
本発明の物品搬送装置よれば、物品支持手段は特定形態の静止部材から構成されている故に、物品の搬送性能を低減せしめることなく製造コスト及び維持コストを大幅に低減することができる。
【００１３】
また、本発明の上述した特定実施形態においては、上流側の物品搬送装置における静止部材が下流側の物品搬送装置の付加物品受入位置から付加物品排出位置まで延在する付加部を含み、かかる静止部材の上面壁は付加部を含む全域に渡って連続して延在して面一をなす故に、上流側の物品搬送装置の物品支持手段から下流側の物品搬送装置の物品支持手段に物品が円滑に移送される。
【図面の簡単な説明】
【００１４】
【図１】本発明に従って構成された物品搬送装置の好適実施形態を示す簡略平面図。
【図２】図１に示す物品搬送装置の簡略斜面図。
【図３】図１の線III−IIIにおける断面図。
【図４】図１に示す物品搬送装置における静止部材を示す平面図。
【発明を実施するための形態】
【００１５】
以下、本発明に従って構成された物品搬送装置の好適実施形態を図示している添付図面を参照して、更に詳述する。
【００１６】
図１及び図２を参照して説明すると、図示の物品搬送装置は、全体を番号２で示す第一の物品搬送装置（主物品搬送装置）と全体を番号１０２で示す第二の物品搬送装置（付加物品搬送装置）とを含んでいる。第一の物品搬送装置２は、物品受入位置４において物品Ａ（図１及び図３に二点鎖線で図示している）を受け入れ、かかる物品Ａを物品排出位置６まで搬送し、物品排出位置６において物品Ａを排出する。第二の物品搬送装置１０２は、第一の物品搬送装置２から排出される物品Ａを物品受入位置（付加物品受入位置）１０４において受け入れ、物品排出位置（付加物品排出位置）１０６まで搬送し、物品排出位置１０６において排出する。第二の物品搬送装置１０２から排出される物品は、例えば物品Ａを一次的に収納する収納容器（図示していない）内に投入される。
【００１７】
図１乃至図３、特に図３、を参照して説明を続けると、第一の物品搬送装置２は、適宜の支持構造（図示していない）に回転自在に支持された回転軸８を備えている。この回転軸８は、歯車ボックス１０内に装備されている減速歯車列（図示していない）を介して電動モータ１２に駆動連結されており、電動モータ１２によって図１において時計方向に回転せしめられる。回転軸８の下端部には回転盤１４が固定されている。そして、この回転盤１４の上面外周縁部には、円環形状の接続板１５を介して円環形状の回転ターレット板１６が固定されている。回転ターレット板１６の外周縁部は接続板１５の外周縁を超えて半径方向外方に延出しており、回転盤１４の上面と回転ターレット板１６の外周縁部下面との間には間隙が存在する。図１及び図２においては、図面の明確化のため上記回転軸８、歯車ボックス１０及び電動モータ１２等の図示を省略している。図１及び図２を参照することによって理解されるとおり、回転ターレット板１６の外周縁には周方向に等間隔をおいて複数個の物品受入ポケット１８が形成されている。物品受入ポケット１８の各々は略半円形状であり、半径方向外側が開放されている。
【００１８】
第一の物品搬送装置２には静止ガイド２０も配設されている。この静止ガイド２０は、適宜の支持構造体（図示していない）に固定されており、図示の実施形態においては上記物品受入位置４から上記物品排出位置６よりも幾分下流の位置まで回転ターレット板１６の外周縁に沿って且つその半径方向外側を円弧状に延在している。
【００１９】
図示の実施形態においては、搬送すべき物品Ａは円形天面壁とこの天面壁の周縁から垂下する筒状スカート壁を有する合成樹脂製容器蓋であり、第一の物品搬送装置２に関連せしめて合成樹脂製容器蓋を圧縮成形する回転式圧縮成形機（図１及び図２にその一部のみを図示する）が配設されている。それ自体は周知の形態でよい圧縮成形機は図１において反時計方向に回転せしめられるターレット板２２、及びこの回転ターレット板２２の外周縁に沿って且つその半径方向外側を円弧状に延びる排出案内静止ガイド２４を含んでいる。回転ターレット板２２の外周縁には周方向に等間隔をおいて物品受入ポケット２６が形成されている。回転ターレット板２２及び排出案内静止ガイド２４（この静止ガイド２４は圧縮成形機に付設されている図示していない支持構造体に固定されている）は上記第一の物品搬送装置２の回転ターレット板１６の上方に位置している。回転式圧縮成形機の回転ターレット板２２と第一の物品搬送装置２の回転ターレット板１６とは相互に同期して回転せしめられ、上記物品受入位置４において回転ターレット板２２の物品受入ポケット２６が回転ターレット板１６の物品受入ポケット１８に対向して位置する。回転式圧縮成形機において圧縮成形された合成樹脂製容器蓋である物品Ａは、天面壁の表面を下方に向けた倒立状態で、排出案内静止ガイド２４に案内されて回転ターレット板２２の回転に応じて搬送され、物品受入位置４において回転ターレット板２２の物品受入ポケット２６から回転ターレット板１６の物品受入ポケット１８に移送される。
【００２０】
図１及び図２を参照して説明を続けると、第二の物品搬送装置１０２も、回転自在に装着された回転軸（図していない）に固定された回転ターレット板（付加回転ターレット板）１１６を具備している。この回転ターレット板１１６の外周縁部には周方向に等間隔をおいて複数個の物品受入ポケット１１８が形成されている。物品受入ポケット１１８の各々は、半円形状であり半径方向外側が開放されている。回転ターレット板１１６は減速歯車列（図示していない）を介して連結された電動モータ（図示していない）によって図１において反時計方向に回転せしめられる。第二の物品搬送手段１０２は、上記付加物品受入位置１０４から上記付加物品排出位置１０６よりも幾分下流の位置まで回転ターレット板１１６の外周縁に沿って且つその半径方向外側を円弧状に延びる静止ガイド１２０（付加静止ガイド）も具備している。この静止ガイド１２０は適宜の支持構造体（図示していない）に固定され、その上流端部は上記第一の物品搬送装置２における回転ターレット板１６の上方で且つ上記物品排出位置６の後方に位置せしめられている。
【００２１】
而して、上記第一の物品搬送装置２及び上記第二の物品搬送装置１０２の上述したとおりの構成は、本発明に従って構成された物品搬送装置の新規な特徴を構成するものではなく、それら自体は当業者には周知の形態でよく、それ故にこれらについての詳細な説明は本明細書において省略する。
【００２２】
上記第一の物品搬送装置２は、更に、回転ターレット板１６の外周縁部の下方を外周縁部に沿って延在する物品支持表面を有する物品支持手段２８を具備している。本発明に従って構成された第一の物品搬送装置２においては、物品支持手段２８は静止部材３０から構成されていることが重要である。図１乃至図３と共に図４を参照して説明すると、図示の実施形態における静止部材３０は、複数個の板状片を適宜に連結することによって中空形態に形成されている。更に詳述すると、静止部材３０の上面壁は１個の板状片３２によって規定されている。この板状片３２の上流端部３２ａは幾分かの長さに渡って直線状に延び、次いで円弧状に延び、主部３２ｂは円弧状に延在し、付加部３２ｃは主部３２ｂに対して曲率中心が逆である円弧状に延びている。板状片３２の上面は連続して実質上水平に延在し面一をなしている。所望ならば、複数個の板状片から静止部材３０の上面壁を構成することもでき、この場合にも複数個の板状片の上面が連続的に実質上水平に延在し面一をなすのが望ましい。一方、板状片３２の下面においては、図４において破線で囲まれた領域において溝が研削されており、図４において破線で囲まれた領域においては板状片３２の板厚が他の領域と比べて低減せしめられている。板状片３２の下面には上記溝を覆う複数個の板状片（その一部である板状片３４及び３６を図３に図示している）が連結されており、静止部材３０には主中空室３８と上流端部に位置する副中空室４０が形成されている。図４に明確に図示するとおり、静止部材３０の上面壁を規定する板状片３２には、物品の搬送方向に間隔をおいて複数個の吸引孔４２が形成されており、かかる吸引孔３２の各々は主中空室３８又は副中空室４０に連通せしめられている。物品の搬送方向における吸引孔４２の間隔ｄ１は、搬送すべき物品Ａにおける静止部材３０の上面壁に接触し且つ上面壁に形成されている吸引孔に沿って延びる部位の搬送方向長さｄ２（図示の実施形態においては物品Ａは合成樹脂製容器蓋であり、この場合にはｄ２は容器蓋の円形天面壁の外面における静止部材３０の上面壁に接触する部位の外径である）よりも小さく、特に０．５ｄ２≦ｄ１≦ｄ２であるのが好ましい。後に更に言及する如く、板状片３２の上面壁は搬送すべき物品Ａを支持する物品支持表面を規定する。静止部材３０には、主中空室３８及び副中空室４０を真空吸引源（図示していない）に接続するための４個の接続部４４ａ、４４ｂ、４４ｃ及び４４ｄが付設されている。接続部４４ａは静止部材３０における板状片３２の上流端部３２ａに対応する位置に形成されている接続開口から上方に次いで図４において左方に延出する筒状部から構成されている。板状片３２の主部３２ｂに対応する位置には半径方向に突出する２個の突出部が形成されており、接続部４４ｂ及び４４ｃは、夫々、２個の突出部の下方にて主中空室３８から下方に次いで主中空室３８から離隔する方向に延びる筒状部から構成されている。接続部４４ｄは静止部材３０における板状片３２の付加部３２ｃに対応する位置に形成されている主中空室３８から下方に次いで主中空室３８から離隔する方向に延びる筒状部から構成されている。従って、主中空室３８は接続部４４ｂ、４４ｃ及び４４ｄを介して真空吸引源（図示していない）に接続され、副中空室４０は接続部４４ａを介して真空吸引手段（図示していない）に接続される。
【００２３】
図１乃至図３に明確に図示するとおり、静止部材３０は適宜の固定手段によって所定位置に固定され、その中央部が第一の物品搬送装置２における物品受入位置４から物品排出位置６までの領域に位置せしめられ、その上流部が物品受入位置４よりも上流側に位置せしめられ、その下流部が第二の物品搬送装置１０２の物品受入位置１０４から物品排出位置１０６までの領域に位置せしめられる。更に詳述すると、静止部材３０の中央部は第一の物品搬送装置２における回転盤１４の上面と回転ターレット板１６の下面との間に部分的に嵌入され、静止部材３０の上面壁を規定する板状片３２の主部３２ｂにおける吸引孔４２が形成されている部位が、物品受入位置４と物品排出位置６との間で回転ターレット板１６の外周縁部、即ち物品受入ポケット１８が形成されている部位、の下方を回転ターレット板１６の外周縁部に沿って延在する。静止部材３０の上流部は、上記圧縮成形機から排出されて第一の物品搬送装置２の物品受入位置４に移送される物品Ａの移送経路に関連せしめて配置され、板状片３２の上流端部３２ａにおける吸引孔４２が形成されている部位は圧縮成形機の回転ターレット板２２と排出案内静止ガイド２６との下方に位置する。一方、静止部材３０の下流部は第二の物品搬送装置１０２における回転ターレット板１１６の外周縁部の下方に配置され、板状片３２の付加部３２ｃにおける吸引孔４２が形成されている部位は、回転ターレット板１１６の外周縁部、即ち物品受入ポケット１１８が形成されている部位、の下方を回転ターレット板１１６の外周縁部に沿って物品受入位置１０４から物品排出位置１０６まで延在する。
【００２４】
次に、上述したとおりの物品搬送装置２及び付加物品搬送装置１０２の作用について説明すると、圧縮成形機において成形された物品Ａは回転ターレット板２２の回転に付随して第一の物品搬送装置２における物品受入位置４に搬送される。この際には、搬出案内ガイド２４によって物品Ａの半径方向外方への飛び出しが防止され、そしてまた物品支持手段を構成する静止部材３０の板状片３２の上流端部３２ａに形成されている吸引孔４２による吸引作用によって物品Ａが板状片３２の表面に吸引され、物品Ａの浮上が防止される。第一の物品搬送装置２における物品受入位置４においては、物品Ａは回転ターレット板１６の物品受入ポケット１８内に受け入れられると共に、物品支持手段２８を構成している静止部材３０の板状片３２の主部３２ｂの表面（物品支持表面）上に載置される。図示の実施形態においては、物品Ａは合成樹脂製容器蓋であり、その天面壁の表面を下方に向けた倒立状態で、圧縮成形機から排出されて回転ターレット板１６の物品受入ポケット１８内に受け入れられると共に板状片３２の表面に載置される。そして、回転ターレット板１６の回転に付随して物品受入位置４から物品排出位置６まで搬送される。この際には、物品Ａの半径方向外方への飛び出しは静止ガイド２０によって防止される。物品Ａの浮上は真空吸引手段（図示していない）に接続されている吸引孔４２による吸引作用によって防止される。本発明者等の実験によれば、吸引孔４２の吸引力を適宜に調整し、そしてまた物品搬送方向における吸引孔４２の間隔を適宜に設定すれば、回転ターレット板１６の回転による物品Ａの搬送が阻害されることはなく、回転ターレット板１６の回転によって充分円滑に物品Ａを搬送することができる。物品搬送方向における吸引孔４２の間隔ｄ１は、上述したとおり、物品の搬送方向長さ（合成樹脂製容器蓋の場合はその外径）ｄ２よりも小さく、特に０．５ｄ２≦ｄ１≦ｄ２であるのが好ましい。
【００２５】
第一の物品搬送装置２の物品排出位置６まで搬送された物品Ａは、第一の物品搬送装置２から搬出されて、第二の物品搬送装置１０２における付加物品受入位置１０４において第二の物品搬送装置１０２の付加回転ターレット板１１６の物品受入ポケット１１８内に受け入れられると共に、物品支持手段を構成する静止部材３０の板状片３２の付加部３２ｃ上に載置される。そして、付加回転ターレット板１１６の回転に付随して付加物品受入位置１０４から付加物品排出位置１０６まで搬送される。この際には、物品Ａの半径方向外方への飛び出しは付加静止ガイド１２０によって防止される。物品Ａの浮上は真空吸引手段（図示していない）に接続されている吸引孔４２による吸引作用によって防止される。図示の実施形態においては、物品支持手段を構成する静止部材３０における板状片３２の上面は連続して実質上水平に延在し面一をなしており、それ故に第一の物品搬送装置２の物品排出位置６から第二の物品搬送装置１０２の付加物品受入位置１０４へ物品Ａが移送される際に、物品Ａの搬送に障害が発生することは確実に回避される。
【符号の説明】
【００２６】
２：第一の物品搬送装置
４：物品受入位置
６：物品排出位置
１６：回転ターレット板
１８：物品受入ポケット
２０：静止ガイド
２８：物品支持手段
３０：静止部材
３２：板状片
３８：主中空室
４０：副中空室
４２：吸引孔
１０２：第二の物品搬送装置
１０４：付加物品受入位置
１０６：付加物品排出位置
１１６：付加回転ターレット板
１１８：物品受入ポケット
１２０：付加静止ガイド
【図１】
2020070139.tif 000003
【図２】
2020070139.tif 000004
【図３】
2020070139.tif 000005
【図４】
2020070139.tif 000006